(57)【要約】【課題】ＤＳＧ方式に適した蓄熱装置を備え、昼夜両方において効率よく発電が可能な太陽熱発電システムを提供すること。【解決手段】太陽熱集熱装置２１、２２と、蒸気タービン３１と、発電機３２と、熱媒体との熱交換を行って蓄熱及び放熱を行う蓄熱装置４と、復水器５１と、復水された水を貯留する水タンク５２と、水タンク５２から水を圧送する給水ポンプ５３とを有する。太陽熱集熱装置２１、２２から供給された加熱蒸気により蓄熱装置４への蓄熱と蒸気タービン３１の運転とを行う昼運転モードと、蓄熱装置４の放熱を受けて加熱された加熱蒸気により蒸気タービン３１の運転を行う夜運転モードとが切り替え可能である。蓄熱装置４は、脱水及び水和反応により蓄熱及び放熱が可能な化学蓄熱材を内蔵し、化学蓄熱材の反応に伴って放出又は導入する反応水として、熱媒体を利用するよう構成されている。【選択図】図１
2019173699.tif 000002
【特許請求の範囲】
【請求項１】
集熱した太陽熱により水からなる熱媒体を直接加熱して加熱蒸気を生成する太陽熱集熱装置と、
加熱蒸気により駆動する蒸気タービンと、
該蒸気タービンの動力により発電を行う発電機と、
前記熱媒体との熱交換を行って蓄熱及び放熱を行う蓄熱装置と、
前記蒸気タービンから排出される蒸気を復水する復水器と、
復水された水を貯留する水タンクと、
該水タンクから水を圧送する給水ポンプと、
を有し、
前記太陽熱集熱装置から供給された加熱蒸気により前記蓄熱装置への蓄熱と前記蒸気タービンの運転とを行う昼運転モードと、前記蓄熱装置の放熱を受けて加熱された加熱蒸気により前記蒸気タービンの運転を行う夜運転モードとを切り替え可能に構成されており、
前記蓄熱装置は、化学反応により蓄熱及び放熱が可能な化学蓄熱材を内蔵し、前記蓄熱装置は、前記熱媒体を介して熱を授受する前記化学蓄熱材の反応に伴って放出又は導入する反応水として、前記熱媒体を利用するよう構成されている、太陽熱発電システム。
【請求項２】
前記昼運転モードにおいては、前記太陽熱集熱装置から供給された加熱蒸気が、前記蓄熱装置において蓄熱された後に、前記蒸気タービンに供給される、請求項１に記載の太陽熱発電システム。
【請求項３】
前記昼運転モードにおいては、前記太陽熱集熱装置から供給された加熱蒸気が、前記蓄熱装置において蓄熱された後に、さらに同一又は別個の前記太陽熱集熱装置において再加熱された後に、前記蒸気タービンに供給される、請求項１に記載の太陽熱発電システム。
【請求項４】
前記太陽熱発電システムは、複数の前記太陽熱集熱装置と複数の前記蓄熱装置を備えており、
前記昼運転モードにおいては、前記熱媒体が、少なくとも、第１の前記太陽熱集熱装置、第１の前記蓄熱装置、第２の前記太陽熱集熱装置、及び第２の前記蓄熱装置を順次通過した後、前記蒸気タービンに供給されると共に、第１及び第２の前記蓄熱装置から放出された前記反応水が前記復水器の上流側の前記熱媒体に合流し、
前記夜運転モードにおいては、前記熱媒体の流路が分岐して夜本流と夜分流とを形成し、夜本流の前記熱媒体が第１及び第２の前記蓄熱装置にそれぞれ供給され、加熱された後、合流して前記蒸気タービンに供給されると共に、夜分流の前記熱媒体が第１及び第２の前記蓄熱装置にそれぞれ反応水として供給されるように構成されている、請求項１〜３のいずれか１項に記載の太陽熱発電システム。
【請求項５】
前記太陽熱発電システムは、複数の前記太陽熱集熱装置を備えており、
前記昼運転モードにおいては、第１の前記太陽熱集熱装置を通過した前記熱媒体の流路が分岐して昼本流と昼分流とを形成し、昼本流の前記熱媒体が前記蒸気タービンに供給され、昼分流の前記熱媒体が第２の前記太陽熱集熱装置と前記蓄熱装置を順次通過した後、再び第２の前記太陽熱集熱装置及び前記蓄熱装置を順次通過する繰り返し循環を続けると共に、前記蓄熱装置から放出された反応水が前記復水器の上流側の前記熱媒体に合流し、
前記夜運転モードにおいては、前記熱媒体の流路が分岐して夜本流と夜分流とを形成し、夜本流の前記熱媒体が前記蓄熱装置に供給され、加熱された後、前記蒸気タービンに供給されると共に、夜分流の前記熱媒体が前記蓄熱装置に反応水として供給されるように構成されている、請求項１〜３のいずれか１項に記載の太陽熱発電システム。
【請求項６】
前記蓄熱装置には、さらに別の前記蓄熱装置が少なくとも１個以上直列で連結されており、前記熱媒体からの蓄熱及び前記熱媒体への伝熱を複数段階で実施可能に構成されている、請求項１〜５のいずれか１項に記載の太陽熱発電システム。
【請求項７】
前記太陽熱発電システムは、前記昼運転モードにおいて前記熱媒体の一部を備蓄するアキュームレータをさらに備え、前記蓄熱装置は、前記夜運転モードにおいて、前記アキュームレータから導出される前記熱媒体を前記反応水として用いて放熱するよう構成されている、請求項１〜６のいずれか１項に記載の太陽熱発電システム。
【請求項８】
前記給水ポンプから圧送された前記熱媒体が前記復水器を通過して予熱されるように構成されている、請求項１〜７のいずれか１項に記載の太陽熱発電システム。
【発明の詳細な説明】
【技術分野】
【０００１】
本発明は、太陽熱発電システムに関する。
【背景技術】
【０００２】
自然エネルギーを利用した発電システムの一つとして、太陽から発せられる熱エネルギーを利用して発電を行う太陽熱発電システムがある。太陽熱発電システムは、日照量の多い昼間においては、太陽熱を集熱して直接又は熱媒体を介して間接的に水（水又は蒸気）を加熱して過熱蒸気または飽和蒸気（以下、これらを総称して、「加熱蒸気」という。）を生成し、当該蒸気により蒸気タービンを回し、蒸気タービンに接続された発電機により発電を行うよう構成されている。そして、日照のない夜間においては、昼間に太陽熱の一部を蓄熱装置に蓄熱しておき、当該蓄熱装置からの放熱により加熱蒸気を生成して前記と同様に発電を行うよう構成されることが多い。
【０００３】
このような太陽熱発電システムにおいて、太陽熱を伝受する熱媒体として油や溶融塩等の水以外の熱媒体を用い、熱媒体と水との熱交換を行って加熱蒸気を生成する方式と、水を熱媒体として用い、直接的に加熱蒸気を生成する方式とがある。現在は、前者の水以外の熱媒体を利用する方式が主流となっている。
【０００４】
太陽熱発電システムを有効活用するには、夜間発電をこれまで以上に効率よく行う必要がある。夜間発電を行うには、昼間に蓄熱し、夜間に放熱して直接又は熱媒体を介して間接的に水を加熱できる蓄熱装置の利用が不可欠である。熱媒体として油や溶融塩等を用いて熱媒体と水との熱交換を行って加熱蒸気を生成する方式では、熱媒体そのものを貯蔵して蓄熱装置とすることができる。一方、熱媒体として水を用いるＤＳＧ（Ｄｉｒｅｃｔ  Ｓｔｅａｍ  Ｇｅｎｅｒａｔｉｏｎ）方式を利用したシステムでは加熱蒸気等の熱媒体を貯蔵する蓄熱装置が利用される場合がある。それらは長時間貯蔵・利用には不向きであるにも関わらず、巨大な装置が必要になる。
【０００５】
一方で、設備コスト、伝授した太陽熱からの発電効率、環境面及びシステム構成のシンプル化等の観点では、熱媒体として水を用いるＤＳＧ方式を利用したシステムが有利であると考えられており、優れた蓄熱装置の開発が望まれている。
【０００６】
従来の太陽熱発電システムとしては、例えば、特許文献１〜３に記載のものが知られているが、これらのシステムにおいては改善すべき点が多い。特許文献１の技術は、ＤＳＧ方式を採用したものであって、蓄熱装置として、水の状態、つまり、過熱蒸気、飽和蒸気、及び飽和水の状態にそれぞれ対応する３種類の蓄熱タンクを備えるものである。しかし、３種類もの蓄熱装置を備えることは、システムが複雑となり、設備コストも高くなってしまう。
【０００７】
特許文献２の技術は、ＤＳＧ方式を採用したものであって、固体顕熱蓄熱材を利用した蓄熱装置を有することを特徴とするものである。固体顕熱材としては、安価なコンクリート、砂、小石、モルタルなどを使用することができる。しかし、長時間貯蔵の場合には、放熱によるロスが発生して蒸気温度が安定せず、給電が不安定となる。また蓄熱材の蓄熱密度が低いために蓄熱装置が巨大で広大な設置スペースが必要となる。
【０００８】
特許文献３の技術は、ＤＳＧ方式を採用したものであって、過熱蒸気で発電する主発電システムと、飽和蒸気で発電する副発電システムとを備えることを特徴とするものである。しかし、主発電システムが昼間のみの発電で夜間は停止してしまうので、主発電システムの効率が低下してしまう。また発電機を主と副と２つ設置が必要なため、投資コストが増加する。さらには蓄熱装置に溶融塩を使用しているため、熱交換器が必要でコスト高になると共に、蓄熱装置が巨大で広大な設置スペースが必要となる。
【先行技術文献】
【特許文献】
【０００９】
【特許文献１】特開２０１４−０９２０８６号公報
【特許文献２】特開２０１７−１５５６６７号公報
【特許文献３】特開２０１７−０１４９７１号公報
【発明の概要】
【発明が解決しようとする課題】
【００１０】
上述したように、太陽熱発電システムとしてＤＳＧ方式を採用した技術は従来より種々提案されているものの、ＤＳＧ方式に適した蓄熱装置を備えているとはいえず、昼夜間を通じて効率よく発電できる状態にはない。
【００１１】
本発明は、かかる背景に鑑みてなされたものであり、ＤＳＧ方式に適した蓄熱装置を備え、昼夜間を通じて効率よく発電が可能な太陽熱発電システムを提供しようとするものである。
【課題を解決するための手段】
【００１２】
本発明の一態様は、集熱した太陽熱により水からなる熱媒体を直接加熱して加熱蒸気を生成する太陽熱集熱装置と、
加熱蒸気により駆動する蒸気タービンと、
該蒸気タービンの動力により発電を行う発電機と、
前記熱媒体との熱交換を行って蓄熱及び放熱を行う蓄熱装置と、
前記蒸気タービンから排出される蒸気を復水する復水器と、
復水された水を貯留する水タンクと、
該水タンクから水を圧送する給水ポンプと、
を有し、
前記太陽熱集熱装置から供給された加熱蒸気により前記蓄熱装置への蓄熱と前記蒸気タービンの運転とを行う昼運転モードと、前記蓄熱装置の放熱を受けて加熱された加熱蒸気により前記蒸気タービンの運転を行う夜運転モードとを切り替え可能に構成されており、
前記蓄熱装置は、化学反応により蓄熱及び放熱が可能な化学蓄熱材を内蔵し、前記蓄熱装置は、前記熱媒体を介して熱を授受する前記化学蓄熱材の反応に伴って放出又は導入する反応水として、前記熱媒体を利用するよう構成されている、太陽熱発電システムにある。
なお、上記夜運転モードとは夜間に限らず、昼間で曇天等の日照が不十分な場合も含む。
【発明の効果】
【００１３】
前記太陽熱発電システムにおいては、前記のごとく、熱媒体として水（水、蒸気、水と蒸気の混合状態を含む。以下、同様。）を用いるＤＳＧ方式を採用した上で、化学蓄熱材を内蔵した蓄熱装置を積極的に採用している。化学蓄熱材は、熱媒体からの伝熱を受けて反応水（水、蒸気、水と蒸気の混合状態を含む。以下、同様。）を放出する化学反応を起こして蓄熱し、反応水との化学反応を起こして放熱する特性を有している。そして、その可逆反応を利用して繰り返し蓄熱・放熱が可能であるとともに、蓄熱エネルギー密度も高く、長時間の安定した放熱利用が可能である。
【００１４】
ここで、前記太陽熱発電システムにおいては、化学蓄熱材の反応に伴って放出又は導入する反応水として、前記熱媒体を利用するよう構成されている。つまり、前記熱媒体として用いる水を、化学蓄熱材の反応水にも流用している。この構成を積極的に採用することによって、蓄熱装置を含む配管構成がシンプルとなり、かつ、昼運転モードの際は、反応水を熱媒体の一部として取り込み、夜運転モードの際には、熱媒体の一部を反応水として供給することにより、容易に蓄熱及び放熱を制御することができる。
【００１５】
そして、上述したごとく、化学蓄熱材の優れた蓄熱特性を十分に発揮させることにより、従来のＤＳＧ方式の太陽熱発電システムよりも、昼夜間を通じて効率よく発電が可能な太陽熱発電システムを提供することができる。
【図面の簡単な説明】
【００１６】
【図１】実施例１における、太陽熱発電システムの構成を示す説明図。
【図２】実施例２における、太陽熱発電システムの構成を示す説明図。
【図３】実施例３における、太陽熱発電システムの構成を示す説明図。
【図４】実施例４における、太陽熱発電システムの構成を示す説明図。
【図５】実施例５における、太陽熱発電システムの構成を示す説明図。
【図６】実施例６における、太陽熱発電システムの構成を示す説明図。
【図７】実施例７における、太陽熱発電システムの構成を示す説明図。
【図８】実施例８における、太陽熱発電システムの構成を示す説明図。
【図９】実施例９における、太陽熱発電システムの構成を示す説明図。
【図１０】実施例１０における、太陽熱発電システムの構成を示す説明図。
【図１１】実施例１１における、太陽熱発電システムの構成を示す説明図。
【発明を実施するための形態】
【００１７】
前記太陽熱発電システムにおいて、太陽熱集熱装置としては、トラフ型、フレネル型、タワー型、ディッシュ型等の種々の形式を採用することができる。その他、蒸気タービン、発電機、復水器、給水ポンプ、配管構成その他の構成物についても、公知の種々のものを採用することができる。
【００１８】
また、前記蓄熱装置としては、上述したごとく、化学反応により蓄熱及び放熱を行う化学蓄熱材を内蔵したものを採用する。この種の化学蓄熱材としては、例えば、石灰（ＣａＯ／Ｃａ（ＯＨ）2）、ＭｇＯ／Ｍｇ（ＯＨ）2等がある。
【００１９】
また、前記太陽熱発電システムにおける昼運転モードにおいては、前記太陽熱集熱装置から供給された加熱蒸気を用いて前記蓄熱装置に蓄熱するとともに、前記太陽熱集熱装置から供給された加熱蒸気を用いて前記蒸気タービンの運転を行う。この場合、太陽熱集熱装置において加熱する水は、常温の水からなる熱媒体であっても、予め蓄熱装置において予熱された熱媒体であっても、別の太陽熱集熱装置によって予熱されたものでもよい。また、蒸気タービンに供給される加熱蒸気は、太陽熱集熱装置から直接送られたものであっても、一旦蓄熱装置を通過して一部の熱が奪われた後のものでもよい。
【００２０】
すなわち、例えば、前記昼運転モードにおいては、前記太陽熱集熱装置から供給された加熱蒸気が、前記蓄熱装置において蓄熱された後に、前記蒸気タービンに供給される構成にすることができる。
【００２１】
また、例えば、前記昼運転モードにおいては、前記太陽熱集熱装置から供給された加熱蒸気が、前記蓄熱装置において蓄熱された後に、さらに同一又は別個の前記太陽熱集熱装置において再加熱された後に、前記蒸気タービンに供給される構成にすることもできる。
【００２２】
また、前記太陽熱発電システムは、複数の前記太陽熱集熱装置と複数の前記蓄熱装置を備えており、
前記昼運転モードにおいては、前記熱媒体が、少なくとも、第１の前記太陽熱集熱装置、第１の前記蓄熱装置、第２の前記太陽熱集熱装置、及び第２の前記蓄熱装置を順次通過した後、前記蒸気タービンに供給されると共に、第１及び第２の前記蓄熱装置から放出された前記反応水が前記復水器の上流側の前記熱媒体に合流し、
前記夜運転モードにおいては、前記熱媒体の流路が分岐して夜本流と夜分流とを形成し、夜本流の前記熱媒体が第１及び第２の前記蓄熱装置にそれぞれ供給され、加熱された後、合流して前記蒸気タービンに供給されると共に、夜分流の前記熱媒体が第１及び第２の前記蓄熱装置にそれぞれ反応水として供給されるように構成してもよい。
【００２３】
この場合には、複数の太陽熱集熱装置と複数の蓄熱装置とを組み合わせることによって、個々の太陽熱集熱装置及び蓄熱装置の小型化及び低能力化を図ることが可能となる。これにより、大型の太陽熱集熱装置及び大型の蓄熱装置を備える場合よりも、昼夜の発電量のバランスを最適化することが可能となり、昼夜を通じてタービン規模に合わせた蒸気供給が可能となるため、エネルギー効率を向上することができ、かつ設備コストを低減することができる。
【００２４】
なお、前記太陽熱集熱装置と蓄熱装置の数は同じである必要はなく、また、さらに能力の異なるものを直列又は並列に組み合わせるなど、具体的な装置の個数や配列は適宜調整してもよい。以下、同様である。
【００２５】
また、前記太陽熱発電システムは、複数の前記太陽熱集熱装置を備えており、
前記昼運転モードにおいては、第１の前記太陽熱集熱装置を通過した前記熱媒体の流路が分岐して昼本流と昼分流とを形成し、昼本流の前記熱媒体が前記蒸気タービンに供給され、昼分流の前記熱媒体が第２の前記太陽熱集熱装置と前記蓄熱装置を順次通過した後、再び第２の前記太陽熱集熱装置及び前記蓄熱装置を順次通過する繰り返し循環を続けると共に、前記蓄熱装置から放出された反応水が前記復水器の上流側の前記熱媒体に合流し、
前記夜運転モードにおいては、前記熱媒体の流路が分岐して夜本流と夜分流とを形成し、夜本流の前記熱媒体が前記蓄熱装置に供給され、加熱された後、前記蒸気タービンに供給されると共に、夜分流の前記熱媒体が前記蓄熱装置に反応水として供給されるように構成してもよい。
【００２６】
この場合には、熱媒体の流路として循環経路を形成し、その循環経路内に太陽熱集熱装置と蓄熱装置を配置することとなる。これにより、循環経路内の太陽熱集熱装置の能力が高くなくても、蓄熱装置が１回の熱交換によって蓄熱する熱量分だけ集熱すればよいため、その太陽熱集熱装置を小型化及び低能力化することができ、設備コストの低減を図ることができる。
【００２７】
また、前記蓄熱装置には、さらに別の前記蓄熱装置が少なくとも１個以上直列で連結されており、前記熱媒体からの蓄熱及び前記熱媒体への伝熱を複数段階で実施可能に構成することもできる。例えば、前記熱媒体への伝熱においては、上流側から順に、液水の温度を沸点付近まで上げるための蓄熱装置、液水を飽和蒸気に加熱するための蓄熱装置、飽和蒸気を過熱蒸気に加熱するための蓄熱装置というように構成してもよい。こうすることで、曇天時など、理想的な連続運転が難しく、断続的な運転となる場合においても、蒸気タービンに送られる蒸気の温度、圧力を安定させることが可能となり、発電効率を向上させることができる。この場合、上流側の２つの蓄熱装置間には液水のみが送られるため、気液分離装置を配置する必要はない。また、個々の蓄熱装置の小型化及び低能力化が可能となり、設備コストの低減を図ることができる。
【００２８】
また、前記太陽熱発電システムは、前記昼運転モードにおいて前記熱媒体の一部を備蓄するアキュームレータをさらに備え、前記蓄熱装置は、前記夜運転モードにおいて、前記アキュームレータから導出される前記熱媒体を前記反応水として用いて放熱するよう構成してもよい。この場合には、前記反応水の高温、高圧化が可能となり、かつ、前記反応水の供給量が安定するため、タービン効率の向上、および安定化が可能となるというメリットを得ることができる。
【００２９】
また、前記給水ポンプから圧送された前記熱媒体が前記復水器を通過して予熱されるように構成してもよい。この場合には、復水器によって回収する熱を有効利用することができ、さらに、エネルギー効率の向上を図ることが可能となる。
【実施例】
【００３０】
（実施例１）
本願の太陽熱発電システムに係る実施例につき、図１を用いて説明する。
本例の太陽熱発電システム１０１は、図１に示すごとく、集熱した太陽熱により水からなる熱媒体を加熱して加熱蒸気を生成する太陽熱集熱装置２１、２２と、加熱蒸気により駆動する蒸気タービン３１と、蒸気タービン３１の動力により発電を行う発電機３２と、熱媒体との熱交換を行って蓄熱及び放熱を行う蓄熱装置４と、蒸気タービン３１から排出される蒸気を復水する復水器５１と、復水された水を貯留する水タンク５２と、水タンク５２から水を圧送する給水ポンプ５３とを有し、太陽熱集熱装置２１、２２から供給された加熱蒸気により蓄熱装置４への蓄熱と蒸気タービン３１の運転を行う昼運転モードと、蓄熱装置４の放熱を受けて加熱された加熱蒸気により蒸気タービン３１の運転を行う夜運転モードとを切り替え可能に構成されている。そして、蓄熱装置４は、脱水及び水和反応により蓄熱及び放熱が可能な化学蓄熱材を内蔵し、蓄熱装置４は、熱媒体を介して熱を授受する化学蓄熱材の反応に伴って放出又は導入する反応水として、熱媒体を利用するよう構成されている。
以下、さらに詳説する。
【００３１】
本例の太陽熱発電システム１０１は、上述したごとく、２つの太陽熱集熱装置２１、２２を直列で並べ、１つの蓄熱装置４を備えたシンプルな構成のものである。そして、太陽熱集熱装置２１、２２及び蓄熱装置４と、蒸気タービン３１、復水器５１、水タンク５２及び給水ポンプ５３とを繋ぐように、熱媒体を流通させる配管８が多数の開閉弁９を介在しながら配設されている。
【００３２】
本例の蓄熱装置４は、化学蓄熱材として石灰を内蔵している。石灰は、酸化カルシウム（ＣａＯ）又は水酸化カルシウム（Ｃａ（ＯＨ）2）を指し、両者は可逆的に変化可能な特性を有している。具体的には、石灰は、蓄熱時には式１の脱水反応を起こし、放熱時には式２の水和反応を起こす。
式１：（Ｃａ（ＯＨ）2）＋熱  →  ＣａＯ＋水（水又は水蒸気）
式２：ＣａＯ＋水（水又は水蒸気）  →  （Ｃａ（ＯＨ）2）＋熱
【００３３】
そして、この蓄熱装置４は、化学蓄熱材との熱交換を行う熱媒体を内部において流通させる熱媒体流路４５と、化学蓄熱材の化学反応時の反応水を放出及び導入する反応水流路４６とを備えており、これらの熱媒体流路４５と反応水流路４６は、いずれも、前記の配管８に連結されている。
【００３４】
この構成における熱媒体の流動経路の詳細については、太陽熱発電システム１０１の昼運転モードと夜運転モードにわけて、以下に説明する。また、本実施例１及び以降の他の実施例において、図を用いてシステムの構成を示し、以下の説明文においては、わかりやすくするために、熱媒体の温度も記載するが、これは例示であって、実際には、各機器の能力の設定等によって変更されうることは言うまでもない。
【００３５】
太陽熱発電システム１０１の昼運転モードにおいては、まず、水タンク５２内の熱媒体が給水ポンプ５３により圧送され、矢印Ａの流路に沿って、太陽熱集熱装置２１に送られる。太陽熱集熱装置２１においては、集熱した太陽熱により、３０℃の熱媒体が加熱され５００℃の加熱蒸気となり、次の太陽熱集熱装置２２に送られる。太陽熱集熱装置２２においては、集熱した太陽熱により、５００℃の加熱蒸気からなる熱媒体が６００℃の加熱蒸気に加熱される。
【００３６】
太陽熱集熱装置２２において加熱された加熱蒸気からなる熱媒体は、矢印Ａの流路に従って、蓄熱装置４の熱媒体流路４５に送られる。蓄熱装置４においては、６００℃の熱媒体から１００℃分の熱が蓄熱される。そして、５００℃となった加熱蒸気が蓄熱装置４の熱媒体流路４５から蒸気タービン３１に送られる。供給された加熱蒸気により蒸気タービン３１が駆動され、その動力により発電機３２が発電を行う。蒸気タービン３１から排出された蒸気（熱媒体）は、復水器５１により復水されて水タンク５２に戻されて貯留される。
【００３７】
ここで、昼運転モードにおいては、上述したごとく、蓄熱装置４においては、１００℃分の熱が蓄熱される。このとき、蓄熱装置４が内蔵する化学蓄熱材は上述した式１の化学反応を起こし、反応水を放出することとなる。この反応水は、反応水流路４６において矢印ａの方向に沿って排出され、復水器５１の上流側の熱媒体に合流して熱媒体の一部となる。
【００３８】
次に、太陽熱発電システム１０１の夜運転モードにおいては、太陽熱集熱装置２１、２２につながる配管８の流路は開閉弁９の閉鎖によって止められる。そして、水タンク５２の熱媒体が給水ポンプ５３により圧送され、矢印Ｂの流路に沿って、蓄熱装置４に向かう。
【００３９】
矢印Ｂの流路は分岐して、矢印Ｂ１に沿った夜本流と矢印Ｂ２に沿った夜分流とが形成される。矢印Ｂ１に沿った夜本流の熱媒体は、蓄熱装置４の熱媒体流路４５に供給され、化学蓄熱材との熱交換によって５００℃に加熱された後、蒸気タービン３１に供給され発電機３２による発電がなされる。蒸気タービン３１から排出された蒸気（熱媒体）は、復水器５１により復水されて水タンク５２に戻されて貯留される。一方、矢印Ｂ２に沿った夜分流の熱媒体は、反応水流路４６を通って反応水として化学蓄熱材に供給される。蓄熱装置４においては、この反応水と化学蓄熱材による水和反応で生じた熱によって上記のごとく熱媒体が加熱される。
【００４０】
以上のような昼運転モード及び夜運転モードにおいて、熱媒体及び反応水が通過した配管８における開閉弁９は開となり、それ以外の開閉弁９は閉となる。
【００４１】
本例の太陽熱発電システム１０１は、上述したごとくＤＳＧ方式を採用した上で、化学蓄熱材を内蔵した蓄熱装置４を積極的に採用している。そして、化学蓄熱材の反応に伴って放出又は導入する反応水として、水からなる熱媒体を利用するよう構成されている。この構成を積極的に採用することによって、蓄熱装置４を含む配管８の構成がシンプルとなり、かつ、昼運転モードの際は、反応水を熱媒体の一部として取り込み、夜運転モードの際には、熱媒体の一部を反応水として供給することにより、容易に蓄熱及び放熱を制御することができる。
【００４２】
そして、太陽熱発電システム１０１は、化学蓄熱材の優れた蓄熱特性を十分に発揮させることにより、従来のＤＳＧ方式の太陽熱発電システムよりも、昼夜両方において効率よく発電が可能となる。
【００４３】
（実施例２）
本例の太陽熱発電システム１０２は、実施例１の構成を基本として、太陽熱集熱装置及び蓄熱装置を増やした例である。すなわち、図２に示すごとく、太陽熱集熱装置２１及び太陽熱集熱装置２２の下流側に１つ目の蓄熱装置４１を設け、その下流側に３つ目の太陽熱集熱装置２３を設け、さらに、その下流側に２つめの蓄熱装置４２を設ける。なお、説明の都合上、実施例１と同様の機能を有する構成要素については、実施例１と同じ符号を用いて説明する。以下、実施例３以降も同様とする。
【００４４】
本例における昼運転モードにおいては、水タンク５２内の熱媒体が給水ポンプ５３により圧送され、矢印Ａの流路に沿って、太陽熱集熱装置２１に送られる。太陽熱集熱装置２１においては、集熱した太陽熱により、３０℃の熱媒体が５００℃の加熱蒸気に加熱され、次の太陽熱集熱装置２２に送られる。太陽熱集熱装置２２においては、集熱した太陽熱により、さらに、５００℃の加熱蒸気が６００℃まで加熱される。ここまでは、実施例１と同様である。
【００４５】
次に、太陽熱集熱装置２２において加熱された加熱蒸気からなる熱媒体は、矢印Ａの流路に従って、蓄熱装置４１の熱媒体流路４１５に送られる。蓄熱装置４１においては、６００℃の熱媒体から１００℃分の熱が蓄熱される。そして、５００℃となった加熱蒸気は、その下流の太陽熱集熱装置２３に送られ、再度６００℃まで加熱される。そして、さらに、下流の蓄熱装置４２の熱媒体流路４２５に送られて、６００℃の熱媒体から１００℃分の熱が蓄熱される。その後、加熱蒸気は、蓄熱装置４２の熱媒体流路４２５から蒸気タービン３１に送られ、前記と同様に発電が行われる。蒸気タービン３１から排出された蒸気（熱媒体）は、復水器５１により復水されて水タンク５２に戻されて貯留される。
【００４６】
また、昼運転モードにおいては、２つの蓄熱装置４１、４２において、それぞれ約１００℃分の熱が蓄熱される。このとき、蓄熱装置４１、４２から放出される反応水は、それぞれの反応水流路４１６、４２６において矢印ａの方向に沿って排出され、復水器５１の上流側の熱媒体に合流して熱媒体の一部となる。
【００４７】
次に、太陽熱発電システム１０２の夜運転モードにおいては、太陽熱集熱装置２１、２２、２３につながる配管８の流路は開閉弁９の閉鎖によって止められる。そして、水タンク５２内の熱媒体が給水ポンプ５３により圧送され、矢印Ｂの流路に沿って、蓄熱装置４１、４２に向かう。
【００４８】
矢印Ｂの流路は２つに分岐した後にさらに分岐して、それぞれ、矢印Ｂ１に沿った夜本流と矢印Ｂ２に沿った夜分流とが形成される。矢印Ｂ１に沿った２つの夜本流の熱媒体は、それぞれ、蓄熱装置４１の熱媒体流路４１５及び蓄熱装置４２の熱媒体流路４２５に供給され、それぞれ、化学蓄熱材との熱交換によって５００℃に加熱される。
【００４９】
蓄熱装置４１において加熱された熱媒体は、矢印Ｂ１に沿って、太陽熱集熱装置２３に送られることなく、バイパス路８（ｂ）を通って蓄熱装置４２において加熱された熱媒体と合流して蒸気タービン３１に供給され発電機３２による発電がなされる。蒸気タービン３１から排出された蒸気（熱媒体）は、復水器５１により復水されて水タンク５２に戻されて貯留される。
【００５０】
一方、矢印Ｂ２に沿った２つの夜分流の熱媒体は、反応水流路４１６、４２６を通って反応水として化学蓄熱材に供給される。蓄熱装置４１、４２においては、この反応水と化学蓄熱材による水和反応で生じた熱によって前記のごとく熱媒体が加熱される。
【００５１】
本例の場合には、複数の蓄熱装置４１、４２を備え、かつ、これらの間に太陽熱集熱装置２３をさらに備えることにより、実施例１に示した作用効果に加え、さらに、昼夜の発電量のバランスを最適化することが可能となり、昼夜を通じてタービン規模に合わせた蒸気供給が可能となるため、エネルギー効率が向上するという効果を得ることができる。また、個々の前記太陽集熱装置および前記蓄熱装置の小型化、および低能力化を図ることができるため、設備コストを低減できる。
【００５２】
（実施例３）
本例の太陽熱発電システム１０３は、昼運転モードにおいて、太陽熱集熱装置と蓄熱装置を順次通過した後、再び太陽熱集熱装置及び蓄熱装置を順次通過する繰り返し循環流動を可能としたものである。すなわち、図３に示すごとく、蓄熱装置４の下流側と太陽熱集熱装置２２の上流側とが循環路８（ｃ）により連結されている。
【００５３】
本例における昼運転モードにおいては、水タンク５２内の熱媒体が給水ポンプ５３により圧送され、矢印Ａの流路に沿って、太陽熱集熱装置２１に送られる。太陽熱集熱装置２１においては、集熱した太陽熱により、３０℃の熱媒体が５００℃の加熱蒸気に加熱される。
【００５４】
太陽熱集熱装置２１を通過した熱媒体の流路は、分岐して矢印Ａ１の昼本流と矢印Ａ２の昼分流とを形成し、昼本流の熱媒体が矢印Ａ１に沿って蒸気タービン３１に供給され発電が行われる。昼分流の熱媒体は矢印Ａ２に沿ってまず太陽熱集熱装置２２を通過して６００℃まで加熱され、次に、蓄熱装置４を通過して１００℃分の蓄熱がなされて５００℃になり、その後、循環路８（ｃ）を進み、矢印Ａ２に沿って再び太陽熱集熱装置２２及び蓄熱装置４を順次通過する繰り返し循環を続ける。また、蓄熱時の蓄熱装置４における化学蓄熱材から放出された反応水は、矢印ａに沿って反応水流路４６を通り、復水器５１の上流側の熱媒体に合流する。
【００５５】
本例の夜運転モードにおいては、太陽熱集熱装置２１、２２につながる配管８の流路は開閉弁９の閉鎖によって止められる。そして、水タンク５２内の熱媒体が給水ポンプ５３により圧送され、矢印Ｂの流路に沿って、蓄熱装置４に向かう。矢印Ｂの流路は分岐して、矢印Ｂ１に沿った夜本流と矢印Ｂ２に沿った夜分流とが形成される。矢印Ｂ１に沿った夜本流の熱媒体は、蓄熱装置４の熱媒体流路４５に供給され、化学蓄熱材との熱交換によって５００℃に加熱された後、蒸気タービン３１に供給され発電機３２による発電がなされる。蒸気タービン３１から排出された蒸気（熱媒体）は、復水器５１により復水されて水タンク５２に戻されて貯留される。一方、矢印Ｂ２に沿った夜分流の熱媒体は、反応水流路４６を通って反応水として化学蓄熱材に供給される。蓄熱装置４においては、この反応水と化学蓄熱材による水和反応で生じた熱によって上記のごとく熱媒体が加熱される。
【００５６】
以上のように、本例の場合には、昼運転モードにおいて、太陽熱集熱装置２２と蓄熱装置４を順次通過した後、再び太陽熱集熱装置２２及び蓄熱装置４を順次通過する繰り返し循環流動を可能としたことにより、実施例１に示した作用効果に加え、さらに、昼夜の発電量のバランスを最適化することが可能となり、昼夜を通じてタービン規模に合わせた蒸気供給が可能となるため、エネルギー効率が向上するという効果を得ることができる。また、蓄熱装置を介さずに、太陽集熱装置から蒸気タービンへ向かう経路を設けているため、昼間の曇天時において、蒸気加熱が不十分であっても、蓄熱装置での熱損失を伴わない経路を確保できる。
【００５７】
（実施例４）
本例の太陽熱発電システム１０４は、図４に示すごとく、実施例１の構成を基本として、蓄熱装置４を、直列に接続した２つの蓄熱装置４１、４２に置き換えた例である。その他の構成は実施例１と同様である。
【００５８】
この場合には、昼運転モードにおいては、２つの太陽熱集熱装置２１、２２（図１参照）を通過して６００℃となった熱媒体が、矢印Ａの流路に従って、蓄熱装置４１の熱媒体流路４１５に送られる。蓄熱装置４１においては、６００℃の熱媒体から５０℃分の熱が蓄熱される。そして、５５０℃となった加熱蒸気は次の蓄熱装置４２に送られる。蓄熱装置４２においては、５５０℃の熱媒体から５０℃の熱が蓄熱され、５００℃となった加熱蒸気が蒸気タービン３１に送られる。
【００５９】
また、昼運転モードにおいては、蓄熱装置４１、４２が内蔵する化学蓄熱材から放出される反応水が、それぞれ反応水流路４１６、４２６において矢印ａの方向に沿って排出され、復水器５１の上流側の熱媒体に合流して熱媒体の一部となる。
【００６０】
次に、夜運転モードにおいては、太陽熱集熱装置２１、２２につながる配管８の流路は開閉弁９の閉鎖によって止められ、水タンク５２の熱媒体が給水ポンプ５３により圧送され（図１参照）、矢印Ｂの流路に沿って、蓄熱装置４１、４２に向かう。
【００６１】
矢印Ｂの流路は分岐して、矢印Ｂ１に沿った夜本流と矢印Ｂ２に沿った夜分流とが形成される。矢印Ｂ１に沿った夜本流の熱媒体は、蓄熱装置４１の熱媒体流路４１５に供給され、化学蓄熱材との熱交換によって加熱され、３００℃の加熱蒸気となる。この熱媒体は、さらに、蓄熱装置４２の熱媒体流路４２５に供給され、化学蓄熱材との熱交換によって加熱され、５００℃の加熱蒸気となり、蒸気タービン３１に供給される。
【００６２】
また、夜分流の一つである矢印Ｂ２に沿って流れる熱媒体は、一つ目の蓄熱装置４１の反応水流路４１６を通って反応水として蓄熱装置４１の内部に供給される。また、矢印Ｂ１に沿った夜本流の熱媒体は、蓄熱装置４１の熱媒体流路４１５を通過した後に矢印Ｂ３に沿って流れる別の夜分流に再度分岐し、矢印Ｂ３に沿って、蓄熱装置４２の反応水流路４２６を通って反応水として蓄熱装置４２の内部に供給される。その他は実施例１と同様である。
【００６３】
以上のように、本例の場合には、実施例１の蓄熱装置４を、直列に接続した２つの蓄熱装置４１、４２に置き換えた。これにより、実施例１に示した作用効果に加え、さらに、曇天時など、理想的な連続運転が難しく、断続的な運転となる場合においても蒸気タービンに送られる蒸気の温度、圧力を安定させることが可能となり、発電効率を向上させることができる。
【００６４】
（実施例５）
本例の太陽熱発電システム１０５は、図５に示すごとく、実施例１の構成を基本として、さらに、昼運転モードにおいて熱媒体の一部を備蓄するアキュームレータ６を備えた例である。本例においては、蓄熱装置４は、夜運転モードにおいて、アキュームレータ６から導出される熱媒体を反応水として用いて放熱するよう構成されている。
【００６５】
すなわち、本例の昼運転モードにおいては、矢印Ａに沿って圧送されてきた熱媒体が太陽熱集熱装置２１を通過して３００℃に加熱され、その後、熱媒体の流路が矢印Ａ１に沿った昼本流と矢印Ａ２に沿った昼分流とが形成される。矢印Ａ１に沿った昼本流の熱媒体は、さらに太陽熱集熱装置２２に供給され、６００℃まで加熱されてから、蓄熱装置４の熱媒体流路４５に供給される。蓄熱装置４においては、６００℃の熱媒体から１００℃分の熱が蓄熱される。そして、５００℃となった加熱蒸気が蒸気タービン３１に送られる。蓄熱装置４が内蔵する化学蓄熱材から放出される反応水は、反応水流路４６において矢印ａの方向に沿って排出され、復水器５１の上流側の熱媒体に合流して熱媒体の一部となる。
【００６６】
また、昼運転モードにおいて、太陽熱集熱装置２１を通過して３００℃に加熱された熱媒体の一部は、矢印Ａ２に沿った昼分流となり、アキュームレータ６に供給され、蓄積される。
【００６７】
次に、夜運転モードにおいては、太陽熱集熱装置２１、２２につながる配管８の流路は開閉弁９の閉鎖によって止められ、水タンク５２の熱媒体が給水ポンプ５３により圧送され、矢印Ｂの流路に沿って、蓄熱装置４に向かう。矢印Ｂに沿って流れた熱媒体は、蓄熱装置４の熱媒体流路４５に供給され、化学蓄熱材との熱交換によって加熱され、５００℃の加熱蒸気となり、蒸気タービン３１に供給される。
【００６８】
また、夜運転モードにおいては、アキュームレータ６に備蓄していた３００℃の熱媒体が放出され、矢印Ｃに沿って蓄熱装置４の反応水流路４６を通って反応水として蓄熱装置４の内部に供給される。その他は実施例１と同様である。
【００６９】
以上のように、本例の場合には、蓄熱装置４に供給する反応水となる熱媒体を昼運転モードにおいて備蓄しておくアキュームレータ６を備えている。これにより、実施例１に示した作用効果に加え、さらに、反応水の高温、高圧化が可能となり、かつ、反応水の供給量が安定するため、タービン効率の向上、および安定化が可能となるという効果を得ることができる。
【００７０】
（実施例６）
本例の太陽熱発電システム１０６は、図６に示すごとく、実施例１の構成を基本として、さらに、給水ポンプ５３から圧送された熱媒体が復水器５１を通過して予熱されるように構成した例である。
【００７１】
すなわち、本例の昼運転モードにおいては、矢印Ｄに沿って圧送されてきた熱媒体が、まず復水器５１を通過して予熱され１５０℃となり、矢印Ａに沿って太陽熱集熱装置２１に供給される。太陽熱集熱装置２１においては、１５０℃の熱媒体が５００℃の加熱蒸気に加熱され、次の太陽熱集熱装置２２に送られる。太陽熱集熱装置２２においては、さらに、５００℃の加熱蒸気が６００℃まで加熱される。この加熱蒸気は、蓄熱装置４の熱媒体流路４５に送られて、１００℃分の熱が蓄熱され、５００℃となって蒸気タービン３１に送られる。その後の熱媒体及び反応水の流れは、実施例１の場合と同様である。
【００７２】
次に、本例の夜運転モードにおいては、太陽熱集熱装置２１、２２につながる配管８の流路は開閉弁９の閉鎖によって止められ、給水ポンプ５３により矢印Ｄに沿って圧送されてきた熱媒体が、まず復水器５１を通過して予熱され１５０℃となり、矢印Ｂに沿って流れた後、矢印Ｂ１に沿った夜本流と矢印Ｂ２に沿った夜分流とに分岐し、矢印Ｂ１に沿った夜本流は、蓄熱装置４において５００℃に加熱された後、蒸気タービン３１に送られる。夜分流は矢印Ｂ２に沿って蓄熱装置４の反応水流路４６に反応水として供給される。その他は、実施例１と同様である。
【００７３】
以上のように、本例の場合には、給水ポンプ５３から圧送された熱媒体が復水器５１を通過して予熱されるように構成されている。これにより、実施例１に示した作用効果に加え、さらに、実施例１では系外へ排出されていた熱を再利用することが可能となるため、システム全体のエネルギー効率が向上するという効果を得ることができる。
【００７４】
（実施例７）
本例の太陽熱発電システム１０７は、図７に示すごとく、実施例１の構成を基本として、さらに、実施例２、４及び６の特徴等を組み合わせた例である。
【００７５】
すなわち、本例の昼運転モードにおいては、矢印Ｄに沿って圧送されてきた熱媒体が、まず復水器５１を通過して予熱され１５０℃となり、矢印Ａに沿って太陽熱集熱装置２１に供給され５００℃に加熱され、さらに、次の太陽熱集熱装置２２に送られる。太陽熱集熱装置２２においては、６００℃の加熱蒸気にまで加熱される。
【００７６】
太陽熱集熱装置２２において加熱された熱媒体は、矢印Ａの流路に従って、蓄熱装置４１の熱媒体流路４１５に送られる。蓄熱装置４１においては、６００℃の熱媒体から５０℃分の熱が蓄熱される。５５０℃となった加熱蒸気は次の蓄熱装置４２の熱媒体流路４２５に送られる。蓄熱装置４２においては、５５０℃の熱媒体から５０℃の熱が蓄熱され、５００℃となった熱媒体が次の太陽熱集熱装置２３に送られて、再び６００℃の加熱蒸気にまで加熱される。６００℃の加熱蒸気は、矢印Ａに沿って、蓄熱装置４３の熱媒体流路４３５に送られる。蓄熱装置４３では５０℃分の熱が蓄熱され、さらに次の蓄熱装置４４の熱媒体流路４４５に送られ、５０℃分の熱が蓄熱され、５００℃の加熱蒸気が蒸気タービン３１に供給される。蒸気タービン３１から排出された蒸気（熱媒体）は、復水器５１により復水されて水タンク５２に戻されて貯留される。
【００７７】
また、各蓄熱装置４１〜４４において生成した反応水は、それぞれの反応水流路４１６、４２６、４３６、４４６から矢印ａに沿って排出され、順次合流して復水器５１の上流側の熱媒体に合流して熱媒体の一部となる。
【００７８】
次に、本例の夜運転モードにおいては、太陽熱集熱装置２１〜２３につながる配管８の流路は開閉弁９の閉鎖によって止められ、給水ポンプ５３により矢印Ｄに沿って圧送されてきた熱媒体が、まず復水器５１を通過して１５０℃となり、２つの矢印Ｂの流路に沿って、それぞれ蓄熱装置４１、４３に向かう。
【００７９】
２つの矢印Ｂの流路は分岐して、それぞれ、矢印Ｂ１に沿った夜本流と矢印Ｂ２に沿った夜分流とが形成される。矢印Ｂ１に沿った２つの夜本流の熱媒体は、それぞれ、蓄熱装置４１の熱媒体流路４１５及び蓄熱装置４３の熱媒体流路４３５に供給され、それぞれ、化学蓄熱材との熱交換によって３００℃に加熱される。
【００８０】
蓄熱装置４１において加熱された熱媒体は、さらに、蓄熱装置４２の熱媒体流路４２５に供給され、化学蓄熱材との熱交換によって加熱され、５００℃の加熱蒸気となり、太陽熱集熱装置２３に送られることなく、矢印Ｂ１に沿って、バイパス路８（ｂ）を通って蓄熱装置４４の下流側において蓄熱装置４２を通過した熱媒体と合流して蒸気タービン３１に供給される。
【００８１】
また、蓄熱装置４３において加熱された熱媒体は、さらに、蓄熱装置４４の熱媒体流路４４５に供給され、化学蓄熱材との熱交換によって加熱され、５００℃の加熱蒸気となり、先に説明したように、蓄熱装置４２を通過した熱媒体と合流して蒸気タービン３１に供給される。蒸気タービン３１から排出された蒸気（熱媒体）は、復水器５１により復水されて水タンク５２に戻されて貯留される。
【００８２】
一方、矢印Ｂ２に沿った２つの夜分流の熱媒体は、反応水流路４１６、４３６を通って反応水として蓄熱装置４１、４３における化学蓄熱材に供給される。また、２つの矢印Ｂ１に沿った夜本流の熱媒体は、蓄熱装置４１の熱媒体流路４１５及び蓄熱装置４３の熱媒体流路４３５をそれぞれ通過した後に矢印Ｂ３に沿って流れる別の夜分流に再度分岐し、蓄熱装置４２、４４の反応水流路４２６、４４６を通って反応水として蓄熱装置４２、４４の内部に供給される。その他は実施例１と同様である。
【００８３】
以上のように、本例の場合には、上述した実施例１、２、４及び６の作用効果を全て加えた優れた作用効果を得ることが可能となる。
【００８４】
（実施例８）
本例の太陽熱発電システム１０８は、図８に示すごとく、実施例１の構成を基本として、さらに、実施例２、５、６、の特徴等を組み合わせた例である。
【００８５】
すなわち、本例の昼運転モードにおいては、矢印Ｄに沿って圧送されてきた熱媒体が、まず復水器５１を通過して予熱され１５０℃となり、矢印Ａに沿って太陽熱集熱装置２１に供給されて３００℃まで加熱される。その後、熱媒体の流路として、矢印Ａ１に沿った昼本流と矢印Ａ２に沿った昼分流とが形成される。矢印Ａ１に沿った昼本流の熱媒体は、さらに太陽熱集熱装置２２に供給され、６００℃程度まで加熱されてから、蓄熱装置４１の熱媒体流路４１５に供給される。
【００８６】
蓄熱装置４１においては、６００℃の熱媒体から１００℃分の熱が蓄熱される。そして、５００℃となった加熱蒸気が次の太陽熱集熱装置２３に送られて再度６００℃まで加熱され、次の蓄熱装置４２の熱媒体流路４２５に送られる。蓄熱装置４２では、１００℃分の熱が蓄熱され、５００℃となった加熱蒸気が蒸気タービン３１に送られる。蓄熱装置４１、４２が内蔵する化学蓄熱材から放出される反応水は、反応水流路４１６、４２６においてそれぞれ矢印ａの方向に沿って排出され、復水器５１の上流側の熱媒体に合流して熱媒体の一部となる。
【００８７】
また、昼運転モードにおいては、太陽熱集熱装置２１を通過して３００℃に加熱された熱媒体の一部は、矢印Ａ２に沿った昼分流となり、アキュームレータ６に供給され、蓄積される。
【００８８】
次に、本例の夜運転モードにおいては、太陽熱集熱装置２１〜２３につながる配管８の流路は開閉弁９の閉鎖によって止められ、給水ポンプ５３により矢印Ｄに沿って圧送されてきた熱媒体が、まず復水器５１を通過して予熱され１５０℃となり、２つの矢印Ｂの流路に沿って、それぞれ蓄熱装置４１、４２に向かう。矢印Ｂに沿って流れた熱媒体は、蓄熱装置４１、４２の熱媒体流路４１５、４２５にそれぞれ供給され、化学蓄熱材との熱交換によって加熱され、５００℃の加熱蒸気となる。蓄熱装置４１の熱媒体流路４１５を出た熱媒体は、バイパス路８（ｂ）を通って蓄熱装置４２を出た熱媒体と合流し、蒸気タービン３１に供給される。
【００８９】
また、夜運転モードにおいては、アキュームレータ６から備蓄していた３００℃の熱媒体を矢印Ｃに沿って放出し、分岐され、それぞれ矢印Ｃに沿って蓄熱装置４１、４２の反応水流路４１６、４２６を通って反応水として蓄熱装置４１、４２の内部に供給される。
【００９０】
以上のように、本例の場合には、上述した実施例１、２、５及び６の作用効果を全て加えた優れた作用効果を得ることが可能となる。
【００９１】
（実施例９）
本例の太陽熱発電システム１０９は、図９に示すごとく、実施例１の構成を基本として、さらに、実施例３、４、６の特徴等を組み合わせた例である。
【００９２】
すなわち、本例の昼運転モードにおいては、矢印Ｄに沿って圧送されてきた熱媒体が、まず復水器５１を通過して予熱され１５０℃となり、矢印Ａに沿って太陽熱集熱装置２１に供給されて５００℃まで加熱される。その後、熱媒体は、分岐して矢印Ａ１の昼本流と矢印Ａ２の昼分流とを形成し、昼本流の熱媒体が矢印Ａ１に沿って蒸気タービン３１に供給され発電が行われる。
【００９３】
昼分流の熱媒体は矢印Ａ２に沿って太陽熱集熱装置２２を通過して６００℃程度まで加熱され、次に、蓄熱装置４１の熱媒体流路４１５を通過して５０℃分の蓄熱がなされて５５０℃程度になり、さらに蓄熱装置４２の熱媒体流路４２５を通過して５０℃分の蓄熱がなされ、５００℃となる。その後、循環路８（ｃ）を利用し、矢印Ａ２に沿って再び太陽熱集熱装置２２、蓄熱装置４１、４２を順次通過する繰り返し循環を続ける。また、蓄熱時の蓄熱装置４１、４２における化学蓄熱材から放出された反応水は、それぞれ矢印ａに沿って反応水流路４１６、４２６を通り、復水器５１の上流側の熱媒体に合流する。
【００９４】
次に、本例の夜運転モードにおいては、太陽熱集熱装置２１、２２につながる配管８の流路は開閉弁９の閉鎖によって止められ、給水ポンプ５３により矢印Ｄに沿って圧送されてきた熱媒体が、まず復水器５１を通過して予熱され１５０℃となり、矢印Ｂの流路に沿って流れ、矢印Ｂ１に沿った夜本流と矢印Ｂ２に沿った夜分流とが形成される。
【００９５】
矢印Ｂ１に沿った夜本流の熱媒体は、蓄熱装置４１の熱媒体流路４１５に供給され、化学蓄熱材との熱交換によって加熱され、３００℃の加熱蒸気となる。この熱媒体は、さらに、蓄熱装置４２の熱媒体流路４２５に供給され、化学蓄熱材との熱交換によって加熱され、５００℃の加熱蒸気となり、蒸気タービン３１に供給される。
【００９６】
また、夜分流の一つである矢印Ｂ２に沿って流れる熱媒体は、一つ目の蓄熱装置４１の反応水流路４１６を通って反応水として蓄熱装置４１の内部に供給される。また、矢印Ｂ１に沿った夜本流の熱媒体は、蓄熱装置４１の熱媒体流路４１５を通過した後に矢印Ｂ３に沿って流れる別の夜分流に再度分岐し、蓄熱装置４２の反応水流路４２６を通って反応水として蓄熱装置４２の内部に供給される。
【００９７】
以上のように、本例の場合には、上述した実施例１、３、４及び６の作用効果を全て加えた優れた作用効果を得ることが可能となる。
【００９８】
（実施例１０）
本例の太陽熱発電システム１１０は、図１０に示すごとく、実施例１の構成における第２の太陽熱集熱装置２２の位置を蓄熱装置４の下流側に変更した例である。
【００９９】
太陽熱発電システム１１０の昼運転モードにおいては、まず、水タンク５２内の熱媒体が給水ポンプ５３により圧送され、矢印Ａの流路に沿って、太陽熱集熱装置２１に送られる。太陽熱集熱装置２１においては、集熱した太陽熱により、３０℃の熱媒体が６００℃程度の加熱蒸気にまで加熱され、矢印Ａの流路に従って、蓄熱装置４の熱媒体流路４５に送られる。蓄熱装置４においては、６００℃の熱媒体から１００℃分の熱が蓄熱される。５００℃となった加熱蒸気は、太陽熱集熱装置２２において再度加熱され、６００℃となって蒸気タービン３１に送られる。蒸気タービン３１から排出された蒸気（熱媒体）は、復水器５１により復水されて水タンク５２に戻されて貯留される。
【０１００】
また、蓄熱装置４における蓄熱により生じた反応水は、反応水流路４６において矢印ａの方向に沿って排出され、復水器５１の上流側の熱媒体に合流して熱媒体の一部となる。
【０１０１】
次に、太陽熱発電システム１１０の夜運転モードにおいては、太陽熱集熱装置２１、２２につながる配管８の流路は開閉弁９の閉鎖によって止められる。そして、水タンク５２内の熱媒体が給水ポンプ５３により圧送され、矢印Ｂの流路に沿って進み、矢印Ｂの流路は分岐して、矢印Ｂ１に沿った夜本流と矢印Ｂ２に沿った夜分流とが形成される。矢印Ｂ１に沿った夜本流の熱媒体は、蓄熱装置４の熱媒体流路４５に供給され、化学蓄熱材との熱交換によって５００℃に加熱された後、蒸気タービン３１に供給される。蒸気タービン３１から排出された蒸気（熱媒体）は、復水器５１により復水されて水タンク５２に戻されて貯留される。一方、矢印Ｂ２に沿った夜分流の熱媒体は、反応水流路４６を通って反応水として化学蓄熱材に供給される。蓄熱装置４においては、この反応水と化学蓄熱材による水和反応で生じた熱によって前記のごとく熱媒体が加熱される。
【０１０２】
以上のように、本例においては、２つめの太陽熱集熱装置２２の設置位置を実施例１と変更している。これにより、昼運転モードにおいて、蒸気タービン３１へ送られる熱媒体の温度を上げることが可能となるため、発電効率が向上するという効果を得ることができる。
【０１０３】
（実施例１１）
本例の太陽熱発電システム１１１は、図１１に示すごとく、実施例７の構成を基本として、さらに、実施例１０の特徴等を組み合わせた例である。
【０１０４】
すなわち、本例の昼運転モードにおいては、矢印Ｄに沿って圧送されてきた熱媒体が、まず復水器５１を通過して予熱され１５０℃となり、矢印Ａに沿って太陽熱集熱装置２１に供給され５００℃に加熱され、さらに、次の太陽熱集熱装置２２に送られる。太陽熱集熱装置２２においては、集熱した太陽熱により、熱媒体が６００℃程度の加熱蒸気にまで加熱される。
【０１０５】
太陽熱集熱装置２２において加熱された熱媒体は、矢印Ａの流路に従って、蓄熱装置４１の熱媒体流路４１５に送られる。蓄熱装置４１においては、６００℃の熱媒体から５０℃分の熱が蓄熱される。５５０℃となった加熱蒸気は次の蓄熱装置４２の熱媒体流路４２５に送られる。蓄熱装置４２においては、５５０℃の熱媒体から５０℃の熱が蓄熱され、５００℃となった熱媒体が次の太陽熱集熱装置２３に送られて、再び６００℃程度の加熱蒸気にまで加熱される。６００℃の加熱蒸気は、矢印Ａに沿って、蓄熱装置４３の熱媒体流路４３５に送られる。５０℃分の熱が蓄熱され、さらに次の蓄熱装置４４の熱媒体流路４４５に送られ、５０℃分の熱が蓄熱され、５００℃の加熱蒸気となり、さらに次の太陽熱集熱装置２４に送られ、６００℃の加熱蒸気に加熱された後、蒸気タービン３１に供給される。蒸気タービン３１から排出された蒸気（熱媒体）は、復水器５１により復水されて水タンク５２に戻されて貯留される。
【０１０６】
各蓄熱装置４１〜４４において生成した反応水は、それぞれの反応水流路４１６、４２６、４３６、４４６から矢印ａに沿って排出され、順次合流して復水器５１の上流側の熱媒体に合流して熱媒体の一部となる。
【０１０７】
次に、本例の夜運転モードにおいては、太陽熱集熱装置２１〜２４につながる配管８の流路は開閉弁９の閉鎖によって止められ、給水ポンプ５３により矢印Ｄに沿って圧送されてきた熱媒体が、まず復水器５１を通過して予熱され１５０℃となり、２つの矢印Ｂの流路に沿って、それぞれ蓄熱装置４１、４３に向かう。
【０１０８】
２つの矢印Ｂの流路は分岐して、それぞれ、まず、矢印Ｂ１に沿った夜本流と矢印Ｂ２に沿った夜分流とが形成される。矢印Ｂ１に沿った２つの夜本流の熱媒体は、それぞれ、蓄熱装置４１の熱媒体流路４１５及び蓄熱装置４３の熱媒体流路４３５に供給され、それぞれ、化学蓄熱材との熱交換によってそれぞれ３００℃に加熱される。
【０１０９】
蓄熱装置４１において加熱された熱媒体は、さらに、蓄熱装置４２の熱媒体流路４２５に供給され、化学蓄熱材との熱交換によって加熱され、５００℃の加熱蒸気となり、太陽熱集熱装置２３に送られることなく、バイパス路８（ｂ）を通って蓄熱装置４４の下流側において蓄熱装置４２を通過した熱媒体と合流して蒸気タービン３１に供給される。また、蓄熱装置４３において加熱された熱媒体は、さらに、蓄熱装置４４の熱媒体流路４４５に供給され、化学蓄熱材との熱交換によって加熱され、５００℃の加熱蒸気となり、先に説明したように、蓄熱装置４２を通過した熱媒体と合流して蒸気タービン３１に供給される。蒸気タービン３１から排出された蒸気（熱媒体）は、復水器５１により復水されて水タンク５２に戻されて貯留される。
【０１１０】
一方、矢印Ｂ２に沿った２つの夜分流の熱媒体は、反応水流路４１６、４３６を通って反応水として蓄熱装置４１、４３における化学蓄熱材に供給される。また、２つの矢印Ｂ１に沿った夜本流の熱媒体は、蓄熱装置４１の熱媒体流路４１５及び蓄熱装置４３の熱媒体流路４３５をそれぞれ通過した後に矢印Ｂ３に沿って流れる別の夜分流に再度分岐し、蓄熱装置４２、４４の反応水流路４２６、４４６を通って反応水としてそれぞれ蓄熱装置４２、４４の内部に供給される。その他は実施例１と同様である。
【０１１１】
以上のように、本例の場合には、上述した実施例７及び１０の作用効果を全て加えた優れた作用効果を得ることが可能となる。
【符号の説明】
【０１１２】
１０１〜１１１  太陽熱発電システム
２１、２２、２３、２４  太陽熱集熱装置
３１  蒸気タービン
３２  発電機
４、４１、４２、４３、４４  蓄熱装置
４１５、４２５、４３５、４４５、４５  熱媒体流路
４１６、４２６、４３６、４４６、４６  反応水流路
５１  復水器
５２  水タンク
５３  給水ポンプ
６  アキュームレータ
８  配管
９  開閉弁
【図１】
2019173699.tif 000003
【図２】
2019173699.tif 000004
【図３】
2019173699.tif 000005
【図４】
2019173699.tif 000006
【図５】
2019173699.tif 000007
【図６】
2019173699.tif 000008
【図７】
2019173699.tif 000009
【図８】
2019173699.tif 000010
【図９】
2019173699.tif 000011
【図１０】
2019173699.tif 000012
【図１１】
2019173699.tif 000013